(57)【要約】【課題】郵便物を処理する際の人の手間を軽減できる郵便物作製方法を提供する。【解決手段】郵便物作製方法は、宛名形成ステップと、画像形成ステップと、折りステップと、挿入ステップと、封緘ステップと、証票固着ステップとを含む。宛名形成ステップにおいて、画像形成部２０が、封筒Ｅに宛名を形成する。画像形成ステップにおいて、画像形成部２０が、用紙Ｐに画像を形成する。折りステップにおいて、折り部５１が、画像の形成された用紙Ｐを折り曲げる。挿入ステップにおいて、封入部５２が、宛名の形成された封筒Ｅに、折り曲げられた用紙Ｐを入れる。封緘ステップにおいて、封入部５２が、折り曲げられた用紙Ｐの入った封筒Ｅを封緘する。証票固着ステップにおいて、証票固着部５４が、封緘された封筒Ｅに、郵便料金が前納されたことを示す証票を固着する。【選択図】図１
2019025831.tif 000002
【特許請求の範囲】
【請求項１】
画像形成部が、封筒に宛名を形成する宛名形成ステップと、
前記画像形成部が、用紙に画像を形成する画像形成ステップと、
折り部が、前記画像の形成された前記用紙を折り曲げる折りステップと、
封入部が、前記宛名の形成された前記封筒に、前記折り曲げられた用紙を入れる挿入ステップと、
前記封入部が、前記折り曲げられた用紙の入った前記封筒を封緘する封緘ステップと、
証票固着部が、前記封緘された封筒に、郵便料金が前納されたことを示す証票を固着する証票固着ステップと
を含む、郵便物作製方法。
【請求項２】
前記宛名形成ステップ及び前記画像形成ステップの実行前に、入力部が、前記封筒のサイズ、前記用紙のサイズ、及び前記用紙の枚数の入力を受け付けるステップと、
前記宛名形成ステップ及び前記画像形成ステップの実行前に、第１算出部が、前記封筒のサイズ、前記用紙のサイズ、及び前記用紙の枚数に基づいて、第１役務料金と、郵便料金の予測値とを算出するステップと、
前記宛名形成ステップ及び前記画像形成ステップの実行前に、表示部が、前記第１役務料金と前記予測値との合計を示す第１合計値と、前記第１役務料金と、前記予測値とを表示するステップと
をさらに含み、
前記第１役務料金は、前記封筒に前記宛名を形成するとともに前記用紙に前記画像を形成する役務の料金を示す、請求項１に記載の郵便物作製方法。
【請求項３】
前記宛名形成ステップ及び前記画像形成ステップの実行前に、貨幣受領部が、貨幣を受領して、前記貨幣の金額を算出するステップと、
前記封緘ステップの実行前に、重量計測部が、前記折り曲げられた用紙の入った前記封筒の重量を計測するステップと、
前記封緘ステップの実行前に、第２算出部が、前記封筒のサイズと、前記折り曲げられた用紙の入った前記封筒の重量の実測値とに基づいて、郵便料金の実測値を算出するステップと、
前記貨幣の金額が、前記第１役務料金と前記郵便料金の実測値との合計を示す第２合計値以上か否かを、前記封緘ステップの実行前に判定部が判定するステップと
をさらに含み、
前記貨幣の金額が前記第２合計値以上であると判定された後に、前記封入部が前記封緘ステップを実行するとともに、前記証票固着部が前記証票固着ステップを実行する、請求項２に記載の郵便物作製方法。
【請求項４】
前記貨幣の金額が前記第２合計値以上でないと判定された場合、第３算出部が、前記第２合計値と前記貨幣の金額とに基づいて、料金の不足金額を算出するステップと、
前記表示部が、前記不足金額を表示するステップと
をさらに含み、
前記貨幣の金額が前記第２合計値以上でないと判定された場合、前記封入部が前記封緘ステップの実行を保留するとともに、前記証票固着部が前記証票固着ステップの実行を保留し、
前記貨幣受領部が前記不足金額以上の貨幣を受領した後に、前記封入部が前記封緘ステップを実行するとともに、前記証票固着部が前記証票固着ステップを実行する、請求項３に記載の郵便物作製方法。
【請求項５】
宛名を封筒に形成する宛名形成モードと、宛名を封筒に形成しない宛名非形成モードとを有し、
前記宛名形成モードでは、前記宛名形成ステップと、前記画像形成ステップと、前記折りステップと、前記挿入ステップと、前記封緘ステップと、前記証票固着ステップとを含み、
前記宛名非形成モードでは、
入力部が、封筒のサイズ、用紙のサイズ、及び用紙の枚数の入力を受け付けるステップと、
第１算出部が、前記封筒のサイズ、前記用紙のサイズ、及び前記用紙の枚数に基づいて、第２役務料金と、郵便料金の予測値とを算出するステップと、
表示部が、前記第２役務料金と前記予測値との合計を示す第３合計値と、前記第２役務料金と、前記予測値とを表示するステップと、
表示する前記ステップの実行後に、前記画像形成部が、前記用紙に前記画像を形成するステップと、
前記折り部が、前記画像の形成された前記用紙を折り曲げるステップと、
前記封入部が、前記封筒に、前記折り曲げられた用紙を入れるステップと、
前記封入部が、前記折り曲げられた用紙の入った前記封筒を封緘するステップと、
前記証票固着部が、前記封緘された封筒に前記証票を固着するステップと
を含み、
前記第２役務料金は、前記封筒に前記宛名を形成することなく、前記用紙に前記画像を形成する役務の料金を示す、請求項１に記載の郵便物作製方法。
【請求項６】
前記宛名形成ステップ及び前記画像形成ステップの実行前に、入力部が、前記封筒のサイズ及び前記用紙の枚数の入力を受け付けるステップと、
前記宛名形成ステップ及び前記画像形成ステップの実行前に、第１算出部が、前記用紙の枚数に基づいて、第１役務料金を算出するステップと、
前記宛名形成ステップ及び前記画像形成ステップの実行前に、表示部が、前記第１役務料金を表示するステップと、
前記封緘ステップの実行前に、重量計測部が、前記折り曲げられた用紙の入った前記封筒の重量を計測するステップと、
前記封緘ステップの実行前に、第２算出部が、前記封筒のサイズと、前記折り曲げられた用紙の入った前記封筒の重量の実測値とに基づいて、郵便料金の実測値を算出するステップと、
前記封緘ステップの実行前に、前記表示部が、前記郵便料金の実測値を表示するステップと
をさらに含み、
前記第１役務料金は、前記封筒に前記宛名を形成するとともに前記用紙に前記画像を形成する役務の料金を示す、請求項１に記載の郵便物作製方法。
【請求項７】
封筒への宛名の形成と用紙への画像の形成とを、互いに異なるタイミングで実行する画像形成部と、
前記画像の形成された前記用紙を折り曲げる折り部と、
前記宛名の形成された前記封筒に、前記折り曲げられた用紙を入れて、前記封筒を封緘する封入部と、
前記封緘された封筒に、郵便料金が前納されたことを示す証票を固着する証票固着部と
を備える、画像形成システム。
【発明の詳細な説明】
【技術分野】
【０００１】
本発明は、郵便物作製方法および画像形成システムに関する。
【背景技術】
【０００２】
特許文献１に記載された郵便物受付装置は、重量測定手段と、大きさ測定手段と、記憶手段と、貼付手段とを有する。重力測定手段は、郵便物の重量を測定する。大きさ測定手段は、郵便物の大きさを測定する。記憶手段は、郵便物の重量及び大きさに応じた郵便料金を記憶する。貼付手段は、郵便切手を郵便物に貼り付ける。
【先行技術文献】
【特許文献】
【０００３】
【特許文献１】特開昭６１−２２１９８８号公報
【発明の概要】
【発明が解決しようとする課題】
【０００４】
しかしながら、特許文献１に記載された郵便物受付装置では、郵便切手の貼付以外の作業は、人によって行われる。つまり、封筒への宛名の記載と、用紙への文章の記載と、文章を記載した用紙の封筒への封入との全てを人が行う。従って、人にとって手間が大きい。
【０００５】
本発明は上記課題に鑑みてなされたものであり、その目的は、郵便物を処理する際の人の手間を軽減できる郵便物作製方法および画像形成システムを提供することにある。
【課題を解決するための手段】
【０００６】
本発明の一局面によれば、郵便物作製方法は、宛名形成ステップと、画像形成ステップと、折りステップと、挿入ステップと、封緘ステップと、証票固着ステップとを含む。宛名形成ステップにおいて、画像形成部が、封筒に宛名を形成する。画像形成ステップにおいて、画像形成部が、用紙に画像を形成する。折りステップにおいて、折り部が、画像の形成された用紙を折り曲げる。挿入ステップにおいて、封入部が、宛名の形成された封筒に、折り曲げられた用紙を入れる。封緘ステップにおいて、封入部が、折り曲げられた用紙の入った封筒を封緘する。証票固着ステップにおいて、証票固着部が、封緘された封筒に、郵便料金が前納されたことを示す証票を固着する。
【０００７】
本発明の他の局面によれば、画像形成システムは、画像形成部と、折り部と、封入部と、証票固着部とを備える。画像形成部は、封筒への宛名の形成と用紙への画像の形成とを、互いに異なるタイミングで実行する。折り部は、前記画像の形成された前記用紙を折り曲げる。封入部は、前記宛名の形成された前記封筒に、前記折り曲げられた用紙を入れて、前記封筒を封緘する。証票固着部は、前記封緘された封筒に、郵便料金が前納されたことを示す証票を固着する。
【発明の効果】
【０００８】
本発明によれば、郵便物を処理する際の人の手間を軽減できる。
【図面の簡単な説明】
【０００９】
【図１】本発明の実施形態に係る画像形成システムを示す模式的断面図である。
【図２】実施形態に係る第１制御部と第２制御部とを示す機能ブロック図である。
【図３】実施形態に係る郵便物作製方法の一部を示すフローチャートである。
【図４】実施形態に係る郵便物作製方法の他の一部を示すフローチャートである。
【図５】実施形態に係る郵便物作製方法の更に他の一部を示すフローチャートである。
【図６】実施形態に係る郵便物作製方法の更に他の一部を示すフローチャートである。
【図７】実施形態に係る郵便物作製方法の更に他の一部を示すフローチャートである。
【図８】実施形態に係る郵便物作製方法の更に他の一部を示すフローチャートである。
【図９】実施形態に係る郵便物作製方法の更に他の一部を示すフローチャートである。
【図１０】実施形態に係る表示部を示す図である。
【発明を実施するための形態】
【００１０】
以下、本発明の実施形態について、図面を参照しながら説明する。なお、図中、同一又は相当部分については同一の参照符号を付して説明を繰り返さない。
【００１１】
まず、図１を参照して、本発明の実施形態に係る画像形成システム１００を説明する。図１は、画像形成システム１００を示す模式的断面図である。図１に示すように、画像形成システム１００は、画像形成装置Ａ１と、後処理装置Ａ２とを備える。
【００１２】
画像形成装置Ａ１は、封筒Ｅに宛名を形成（印刷）するとともに、用紙Ｐに画像を形成（印刷）する。画像形成装置Ａ１は、例えば、複合機（ＭＦＰ：Ｍｕｌｔｉ  Ｆｕｎｃｔｉｏｎ  Ｐｅｒｉｐｈｅｒａｌ）である。
【００１３】
具体的には、画像形成装置Ａ１は、画像形成ユニット１と、画像読取ユニット２と、原稿搬送ユニット３と、操作パネル４と、貨幣受領機５（貨幣受領部）と、第１制御部Ｂ１とを備える。
【００１４】
画像形成ユニット１は、封筒Ｅに宛名を形成するとともに、用紙Ｐに画像を形成する。画像読取ユニット２は原稿の画像を読み取る。原稿搬送ユニット３は、読み取り対象の原稿を搬送する。操作パネル４は、ユーザーに画像形成装置Ａ１及び後処理装置Ａ２を操作させるためのパネルである。操作パネル４は、画像を表示する表示部ｂ１と、ユーザーからの各種情報の入力を受け付ける入力部ｂ２とを含む。入力部ｂ２は、例えば、タッチパネルであり、表示部ｂ１に配置される。貨幣受領機５は、ユーザーが投入した貨幣を受領する。第１制御部Ｂ１は、画像形成装置Ａ１の各構成を制御する。
【００１５】
具体的には、画像形成ユニット１は、複数の封筒カセット１１と、複数の給送ローラー１２と、複数の用紙カセット１３と、複数の給送ローラー１４と、複数の搬送ローラー１５と、手差しトレイ１６と、給送ローラー１７と、複数の搬送ローラー１８と、画像形成部２０と、第１排出ローラー２１と、第１排出トレイ２２と、出力ローラー２３とを含む。また、画像形成ユニット１は、第１搬送路Ｃ１と、第１搬送路Ｃ１に合流する第２搬送路Ｃ２とを有する。複数の搬送ローラー１５は第１搬送路Ｃ１に配置される。複数の搬送ローラー１８は第２搬送路Ｃ２に配置される。
【００１６】
封筒カセット１１の各々は複数の封筒Ｅを収容する。給送ローラー１２は、封筒カセット１１から封筒Ｅを送出する。そして、封筒Ｅは、第１搬送路Ｃ１を通って、搬送ローラー１５によって画像形成部２０へ搬送される。
【００１７】
用紙カセット１３の各々は複数の用紙Ｐを収容する。給送ローラー１４は、用紙カセット１３から用紙Ｐを送出する。そして、用紙Ｐは、第１搬送路Ｃ１を通って、搬送ローラー１５によって画像形成部２０へ搬送される。
【００１８】
手差しトレイ１６には、封筒Ｅ又は用紙Ｐが載置される。給送ローラー１７は、手差しトレイ１６から封筒Ｅ又は用紙Ｐを送出する。そして、封筒Ｅ又は用紙Ｐは、第２搬送路Ｃ２を通って、搬送ローラー１８によって第１搬送路Ｃ１へ搬送される。さらに、封筒Ｅ又は用紙Ｐは、第１搬送路Ｃ１を通って、搬送ローラー１５によって画像形成部２０へ搬送される。
【００１９】
画像形成部２０は、封筒Ｅへの宛名の形成と用紙Ｐへの画像の形成とを、互いに異なるタイミングで実行する。具体的には、画像形成部２０は、感光体ドラムａ１と、帯電装置ａ２と、露光装置ａ３と、現像装置ａ４と、転写ローラーａ５と、クリーニング装置ａ６と、定着装置ａ７とを備える。帯電装置ａ２は、感光体ドラムａ１を所定の電位に帯電させる。露光装置ａ３は、画像データに基づきレーザー光を出力して感光体ドラムａ１を露光することで、画像データに応じた静電潜像を感光体ドラムａ１上に形成する。画像データとしては、例えば、リムーバブルメディア（例えば、ＵＳＢメモリー又はメモリーカード）から読み込んだ画像データ、通信ネットワークを介して外部のコンピューター（例えば、携帯端末又はデスクトップパソコン）から受信した画像データ、又は、画像読取ユニット２が原稿を読み取って生成した画像データが用いられる。
【００２０】
現像装置ａ４は、感光体ドラムａ１上の静電潜像にトナーを供給して現像し、感光体ドラムａ１上にトナー像を形成する。転写ローラーａ５は、感光体ドラムａ１上のトナー像を封筒Ｅ又は用紙Ｐに転写する。トナー像が宛名（具体的には宛名画像）を表している場合には、封筒Ｅに宛名（具体的には宛名画像）が形成される。宛名は、氏名若しくは名称、住所、及び郵便番号のうち一部又は全部を含む。宛名を示す画像データは、リムーバブルメディア又は外部のコンピューターから提供される。トナー像が画像を表している場合には、用紙Ｐに画像が形成される。画像は、例えば、記号、写真、及び／又は図形を表す。記号は、例えば、文字であってもよいし、数字であってもよいし、マークであってもよい。画像を示す画像データは、リムーバブルメディア、外部のコンピューター、又は、画像読取ユニット２から提供される。
【００２１】
クリーニング装置ａ６は、転写後に感光体ドラムａ１に残留する残留トナーを除去する。定着装置ａ７は、加圧及び加熱によって、トナー像を封筒Ｅ又は用紙Ｐに定着させる。トナー像の定着された封筒Ｅ又は用紙Ｐは、出力ローラー２３によって後処理装置Ａ２に出力される。用紙Ｐを封筒Ｅに入れない場合は、トナー像の定着された用紙Ｐは、第１排出ローラー２１によって第１排出トレイ２２へ排出されてもよい。
【００２２】
後処理装置Ａ２は、宛名の形成された封筒Ｅ及び画像の形成された用紙Ｐを画像形成装置Ａ１から受け取る。そして、後処理装置Ａ２は、画像形成装置Ａ１から受け取った封筒Ｅ及び用紙Ｐに対して、後処理を実行する。後処理は、用紙Ｐの折り処理、封筒Ｅへの用紙Ｐの封入処理、及び、封筒Ｅへの証票の固着処理を含む。証票は、郵便料金が前納されたことを示す。証票は、例えば、郵便切手又は料額印である。なお、後処理が、パンチ処理及び／又はステープル処理を含んでいてもよい。パンチ処理は、用紙Ｐにパンチ穴を形成する処理である。ステープル処理は、用紙Ｐの束を針のような綴じ具で綴じる処理である。
【００２３】
具体的には、後処理装置Ａ２は、折り部５１と、封入部５２と、重量計測部５３と、証票固着部５４と、複数の搬送ローラー５５と、複数の搬送ローラー５６と、分岐ガイド５７と、第２排出ローラー５８と、第２排出トレイ５９と、第２制御部Ｂ２とを備える。第２制御部Ｂ２は、後処理装置Ａ２の各構成を制御する。また、後処理装置Ａ２は、第３搬送路Ｃ３と、第４搬送路Ｃ４とを有する。第４搬送路Ｃ４は、第３搬送路Ｃ３から分岐して、再び、第３搬送路Ｃ３に合流する。第４搬送路Ｃ４の分岐点には分岐ガイド５７が配置される。
【００２４】
封入部５２、重量計測部５３、及び証票固着部５４は、第３搬送路Ｃ３に対応して配置される。折り部５１は、第４搬送路Ｃ４に対応して配置される。複数の搬送ローラー５５は第３搬送路Ｃ３に配置される。複数の搬送ローラー５６は第４搬送路Ｃ４に配置される。第２排出ローラー５８は、第３搬送路Ｃ３の出口に配置される。
【００２５】
引き続き図１を参照して、画像形成装置Ａ１と関連して、後処理装置Ａ２の動作を説明する。後処理装置Ａ２の分岐ガイド５７は、画像形成装置Ａ１の出力ローラー２３によって出力された封筒Ｅを第３搬送路Ｃ３に案内する。封筒Ｅには宛名が形成されている。そして、搬送ローラー５５が、封筒Ｅを封入部５２へ搬送する。
【００２６】
一方、分岐ガイド５７は、画像形成装置Ａ１の出力ローラー２３によって出力された用紙Ｐを第４搬送路Ｃ４に案内する。用紙Ｐには画像が形成されている。そして、搬送ローラー５６が、用紙Ｐを折り部５１へ搬送する。折り部５１は用紙Ｐを折り曲げる。さらに、搬送ローラー５６が、折り曲げられた用紙Ｐを第３搬送路Ｃ３へ搬送する。そして、搬送ローラー５５が、折り曲げられた用紙Ｐを封入部５２へ搬送する。
【００２７】
封入部５２は、封筒Ｅの口を開き、折り曲げられた用紙Ｐを封筒Ｅに入れる。また、重量計測部５３は、用紙Ｐの入った封筒Ｅの重量を計測する。さらに、封入部５２は、用紙Ｐの入った封筒Ｅを封緘する。そして、搬送ローラー５５が、封緘された封筒Ｅを証票固着部５４へ搬送する。証票固着部５４は、封緘された封筒Ｅに証票を固着する。その結果、郵便物が作製される。そして、搬送ローラー５５が、証票の固着された封筒Ｅを第２排出ローラー５８へ搬送する。さらに、第２排出ローラー５８は、封緘された封筒Ｅを第２排出トレイ５９に排出する。なお、用紙Ｐを封筒Ｅに入れて封筒Ｅを封緘することを、「封入」と記載する場合がある。
【００２８】
以上、図１を参照して説明したように、本実施形態によれば、画像形成部２０が宛名及び画像を形成し、折り部５１が用紙Ｐを折り曲げ、封入部５２が用紙Ｐを封筒Ｅに封入し、証票固着部５４が証票（例えば、切手）を封筒Ｅに固着（例えば、貼付）する。つまり、画像形成システム１００が、宛名及び画像の形成から証票の固着までの一連の作業を実行する。従って、郵便物を処理する際の人（具体的にはユーザー）の負担を軽減できる。
【００２９】
また、本実施形態では、画像形成システム１００は、郵便物作製モードとして、宛名形成モードと、宛名非形成モードと、用紙不特定モードとを有する。宛名形成モードとは、画像形成部２０が宛名を封筒Ｅに形成して、郵便物を作製するモードのことである。宛名非形成モードとは、画像形成部２０が宛名を封筒Ｅに形成することなく、郵便物を作製するモードのことである。用紙不特定モードとは、画像形成システム１００が用紙Ｐのサイズを特定することなく、郵便物を作製するモードのことである。
【００３０】
従って、ユーザーは、入力部ｂ２を介して、宛名形成モードと宛名非形成モードと用紙不特定モードとのうち、所望のモードを選択して、画像形成システム１００に郵便物を作製させることができる。
【００３１】
引き続き図１を参照して、折り部５１、封入部５２、重量計測部５３、及び証票固着部５４の一例を説明する。
【００３２】
折り部５１は、ブレード（不図示）及びシート折りローラー対（不図示）を含む。ブレードとシート折りローラー対のニップ部とは対向している。用紙は、ブレードとシート折りローラー対のニップ部との間に配置される。そして、ブレードは、用紙の主面に当接して用紙を折りながら、シート折りローラー対のニップ部に用紙を押し込む。そして、シート折りローラー対は、ニップ部で用紙を折り曲げながら回転する。その結果、用紙が折り曲げられる。
【００３３】
封入部５２は、開封爪（不図示）、折り目挿入機構（不図示）、搬送ローラー（不図示）、及びフラップ閉じローラー対（不図示）を含む。開封爪は、封筒の口を開く。搬送ローラーは、用紙を搬送して、用紙を封筒に入れる。折り目挿入機構は、用紙の入った封筒のフラップの折り目部分を、フラップ閉じローラー対のニップ部に入れる。フラップ閉じローラー対は、回転することによってフラップを折り曲げて、封筒を封緘する。なお、フラップには、接着剤が予め塗布されているか、又は、両面粘着テープが予め貼付されている。ただし、封入部５２は、接着機構（不図示）をさらに含んでいてもよい。接着機構は、折り目挿入機構による処理の前に、フラップに接着剤を塗布する。
【００３４】
重量計測部５３は、ロードセルのような重量センサー（不図示）を含む。重量センサーは、用紙の入った封筒の重量を計測する。
【００３５】
証票固着部５４は、証票としての郵便切手を封筒に貼付する。具体的には、証票固着部５４は、複数のロール（不図示）と、複数のロールに対応して配置された複数のカッター（不図示）と、貼付機構（不図示）とを含む。ロールの各々には、切手テープが巻回されている。切手テープは、複数の郵便切手が直線状に連なったテープである。切手の金額は、ロールごとに異なる。カッターは、対応するロールから延びる切手テープを切断して、切手テープから郵便切手を切り離す。そして、貼付機構は、郵便切手に糊又は液体を付着させて、封筒に郵便切手を貼付する。
【００３６】
又は、証票固着部５４は、証票としての料額印を封筒に形成する。具体的には、証票固着部５４は、複数のスタンプ（不図示）と、押印機構（不図示）とを含む。スタンプの各々は、料額印を表している。料額印の金額は、スタンプごとに異なる。押印機構は、スタンプを封筒に押し付けて、料額印を封筒に形成する。
【００３７】
なお、例えば、折り部５１は折り機であり、封入部５２はインサーターであり、重量計測部５３は重量計測機であり、証票固着部５４は証票固着機である。
【００３８】
次に、図２を参照して、第１制御部Ｂ１及び第２制御部Ｂ２を説明する。図２は、第１制御部Ｂ１及び第２制御部Ｂ２を示す機能ブロック図である。図２に示すように、画像形成装置Ａ１は、第１制御部Ｂ１に加えて、第１記憶部Ｍ１をさらに備える。後処理装置Ａ２は、第２制御部Ｂ２に加えて、第２記憶部Ｍ２をさらに備える。第１制御部Ｂ１と第２制御部Ｂ２とは相互に通信する。そして、第１制御部Ｂ１は、第２制御部Ｂ２を介して後処理装置Ａ２を制御する。また、第２制御部Ｂ２は、折り部５１、封入部５２、重量計測部５３、及び証票固着部５４の状態を示す情報を第１制御部Ｂ１に送信する。
【００３９】
第１制御部Ｂ１及び第２制御部Ｂ２の各々は、ＣＰＵ（Ｃｅｎｔｒａｌ  Ｐｒｏｃｅｓｓｉｎｇ  Ｕｎｉｔ）のようなプロセッサーを含む。第１記憶部Ｍ１及び第２記憶部Ｍ２の各々は、各種データ及びコンピュータープログラムを記憶する。第１記憶部Ｍ１及び第２記憶部Ｍ２の各々は、記憶装置を含む。記憶装置は、半導体メモリーのような主記憶装置、並びに、半導体メモリー及びハードディスクドライブのような補助記憶装置を含む。
【００４０】
第１制御部Ｂ１は、第１算出部７１、第２算出部７２、第３算出部７３、及び判定部７４を含む。具体的には、第１制御部Ｂ１のプロセッサーが、第１記憶部Ｍ１に記憶されたコンピュータープログラムを実行することによって、第１算出部７１、第２算出部７２、第３算出部７３、及び判定部７４として機能する。第１算出部７１、第２算出部７２、第３算出部７３、及び判定部７４は、図１〜図１０を参照して後述する。また、第１制御部Ｂ１のプロセッサーが、第１記憶部Ｍ１に記憶されたコンピュータープログラムを実行することによって、画像形成ユニット１を制御する。一方、第２制御部Ｂ２のプロセッサーが、第２記憶部Ｍ２に記憶されたコンピュータープログラムを実行することによって、折り部５１、封入部５２、重量計測部５３、及び証票固着部５４を制御する。
【００４１】
次に、図１〜図１０を参照して、本実施形態に係る郵便物作製方法を説明する。図３〜図９は、郵便物作製方法を示すフローチャートである。図３〜図９に示すように、郵便物作製方法は、ステップＳ１〜ステップＳ１７７を含む。郵便物作製方法は、宛名形成モードと、宛名非形成モードと、用紙不特定モードとを有する。画像形成システム１００が郵便物作製方法を実行する。
【００４２】
図１〜図３に示すように、ステップＳ１において、第１制御部Ｂ１は、郵便物作製モードを宛名形成モードに設定する。
【００４３】
ステップＳ３において、入力部ｂ２が第１情報の入力を受け付けたか否かを、判定部７４が判定する。第１情報は、宛名の形成が不要であることを示す。
【００４４】
第１情報の入力を受け付けたと判定された場合（ステップＳ３でＹｅｓ）、処理はステップＳ７１に進む。
【００４５】
ステップＳ７１において、第１制御部Ｂ１は、郵便物作製モードを宛名非形成モードに設定する。そして、処理は図６のステップＳ７３に進む。入力部ｂ２が第１情報の入力を受け付けたことは、宛名非形成モードが選択されたことに相当する。例えば、ユーザーは、宛名を記した封筒Ｅを持参する場合に、宛名非形成モードを選択する。
【００４６】
一方、第１情報の入力を受け付けていないと判定された場合（ステップＳ３でＮｏ）、処理はステップＳ５に進む。
【００４７】
ステップＳ５において、入力部ｂ２が第２情報の入力を受け付けたか否かを、判定部７４が判定する。第２情報は、手差しトレイ１６に載置された用紙Ｐに画像を形成することを示す。
【００４８】
第２情報の入力を受け付けていないと判定された場合（ステップＳ５でＮｏ）、処理はステップＳ１１に進む。
【００４９】
ステップＳ１１において、入力部ｂ２は、封筒Ｅのサイズの入力と、用紙Ｐのサイズの入力と、画像を形成する用紙Ｐの枚数の入力とを受け付ける。そして、処理はステップＳ１３に進む。
【００５０】
一方、第２情報の入力を受け付けたと判定された場合（ステップＳ５でＹｅｓ）、処理はステップＳ７に進む。
【００５１】
ステップＳ７において、入力部ｂ２が第３情報の入力を受け付けたか否かを、判定部７４が判定する。第３情報は、画像を形成する用紙Ｐのサイズを示す。
【００５２】
第３情報の入力を受け付けたと判定された場合（ステップＳ７でＹｅｓ）、処理はステップＳ９に進む。
【００５３】
ステップＳ９において、入力部ｂ２は、封筒Ｅのサイズの入力と、画像を形成する用紙Ｐの枚数の入力とを受け付ける。そして、処理はステップＳ１３に進む。
【００５４】
一方、第３情報の入力を受け付けていないと判定された場合（ステップＳ７でＮｏ）、処理はステップＳ１３１に進む。第３情報の入力を受け付けていないことは、用紙Ｐのサイズが特定されていないことを示す。
【００５５】
ステップＳ１３１において、第１制御部Ｂ１は、郵便物作製モードを用紙不特定モードに設定する。そして、処理は図８のステップＳ１３３に進む。入力部ｂ２が第３情報の入力を受け付けていないことは、用紙不特定モードが選択されたことに相当する。例えば、ユーザーは、サイズが不明である用紙Ｐを持参する場合に、用紙不特定モードを選択する。
【００５６】
ステップＳ５の否定判定の後又はステップＳ７の肯定判定の後、ステップＳ９〜ステップＳ５５では、郵便物作製モードは宛名形成モードに維持されている。
【００５７】
ステップＳ１３において、第１算出部７１は、入力部ｂ２が受け付けた封筒Ｅのサイズ（例えば、角形２号）、入力部ｂ２が受け付けた用紙Ｐのサイズ（例えば、Ａ４）、及び入力部ｂ２が受け付けた用紙Ｐの枚数に基づいて、第１役務料金Ｆ１と、郵便料金の予測値ＰＶと、第１合計値ＳＭ１とを算出する。第１役務料金Ｆ１は、封筒Ｅに宛名を形成するとともに用紙Ｐに画像を形成する役務の料金を示す。第１合計値ＳＭ１は、第１役務料金Ｆ１と予測値ＰＶとの合計値を示す。
【００５８】
例えば、第１算出部７１は、用紙Ｐの枚数に、封筒Ｅの枚数である「１」を加算して、加算値を算出する。そして、第１算出部７１は、加算値に画像形成単価を乗じて、乗算値を算出する。乗算値が第１役務料金Ｆ１を示す。画像形成単価は、１枚の用紙Ｐ又は１枚の封筒Ｅに画像（宛名を含む。）を形成するときの料金を示す。
【００５９】
例えば、第１算出部７１は、第１重量テーブルＷＴ１を参照して、用紙Ｐのサイズに基づいて用紙Ｐの単位重量を特定する。第１重量テーブルＷＴ１は、用紙Ｐのサイズと、用紙Ｐの単位重量とを関連付けている。用紙Ｐの単位重量は、１枚の用紙Ｐの重量を示す。また、第１算出部７１は、第２重量テーブルＷＴ２を参照して、封筒Ｅのサイズに基づいて封筒Ｅの単位重量を特定する。第２重量テーブルＷＴ２は、封筒Ｅのサイズと、封筒Ｅの単位重量とを関連付けている。封筒Ｅの単位重量は、１枚の封筒Ｅの重量を示す。さらに、第１算出部７１は、用紙Ｐの枚数に用紙Ｐの単位重量を乗じて、乗算値を算出する。さらに、第１算出部７１は、乗算値に封筒Ｅの単位重量を加算して、加算値を算出する。加算値が、用紙Ｐの入った封筒Ｅの重量の予測値、つまり、郵便物の重量の予測値を示す。そして、第１算出部７１は、料金テーブルＦＴを参照して、封筒Ｅのサイズと郵便物の重量の予測値とに基づいて郵便料金を特定する。料金テーブルＦＴは、封筒Ｅのサイズと、郵便物の重量と、郵便料金とを関連付けている。
【００６０】
なお、第１算出部７１が特定した郵便料金は、郵便物の重量の実測値に基づく郵便料金ではなく、郵便物の重量の予測値に基づく郵便料金である。従って、第１算出部７１が特定した郵便料金は、郵便料金の予測値ＰＶを示す。また、第１記憶部Ｍ１が、第１重量テーブルＷＴ１と、第２重量テーブルＷＴ２と、料金テーブルＦＴとを記憶している。
【００６１】
ステップＳ１５において、表示部ｂ１は、第１役務料金Ｆ１と、郵便料金の予測値ＰＶと、第１合計値ＳＭ１と、メッセージとを表示する。そして、処理は図４のステップＳ１７に進む。メッセージは、第１合計値ＳＭ１に相当する料金を支払うことを要求する内容を含む。
【００６２】
次に、図１０を参照して、表示部ｂ１を説明する。図１０は、表示部ｂ１を示す図である。図１０に示すように、表示部ｂ１は、第１領域８１と、第２領域８２と、第３領域８３とを含む。表示部ｂ１は、第１領域８１に、第１役務料金Ｆ１（例えば、「印刷料金：５０円」）を表示する。表示部ｂ１は、第２領域８２に、郵便料金の予測値ＰＶ（例えば、「切手料金：１２０円」）を表示する。表示部ｂ１は、第３領域８３に、第１合計値ＳＭ１（例えば、「合計１７０円」）及びメッセージを表示する。
【００６３】
次に、図４を参照して、宛名形成モードでの処理を引き続き説明する。図４に示すように、ステップＳ１７において、貨幣受領機５は、貨幣を受領して、貨幣の金額を算出する。
【００６４】
ステップＳ１９において、貨幣の金額が第１合計値ＳＭ１以上か否かを、判定部７４が判定する。
【００６５】
貨幣の金額が第１合計値ＳＭ１以上であると判定された場合（ステップＳ１９でＹｅｓ）、処理はステップＳ２９に進む。
【００６６】
一方、貨幣の金額が第１合計値ＳＭ１以上でないと判定された場合（ステップＳ１９でＮｏ）、処理はステップＳ２１に進む。
【００６７】
ステップＳ２１において、第３算出部７３は、第１合計値ＳＭ１と貨幣の金額とに基づいて、料金の不足金額（具体的には第１合計値ＳＭ１に対する不足金額）を算出する。不足金額は、第１合計値ＳＭ１から貨幣の金額を減算した値である。
【００６８】
ステップＳ２３において、表示部ｂ１は、不足金額とメッセージとを表示する。メッセージは、不足金額を支払うことを要求する内容を含む。
【００６９】
ステップＳ２５において、貨幣受領機５は、貨幣を受領して、貨幣の金額を算出する。
【００７０】
ステップＳ２７において、ステップＳ２５で受領された貨幣の金額が不足金額以上か否かを、判定部７４が判定する。
【００７１】
貨幣の金額が不足金額以上でないと判定された場合（ステップＳ２７でＮｏ）、処理はステップＳ２１に進む。
【００７２】
一方、貨幣の金額が不足金額以上であると判定された場合（ステップＳ２７でＹｅｓ）、処理はステップＳ２９に進む。
【００７３】
ステップＳ２９において、画像形成部２０は、封筒Ｅに宛名を形成する。そして、画像形成装置Ａ１は、宛名の形成された封筒Ｅを後処理装置Ａ２に出力する。さらに、後処理装置Ａ２は、封筒Ｅを受け取って、封筒Ｅを封入部５２へ搬送する。ステップＳ２９が、「宛名形成ステップ」の一例に相当する。
【００７４】
ステップＳ３１において、画像形成部２０は、用紙Ｐに画像を形成する。そして、画像形成装置Ａ１は、画像の形成された用紙Ｐを後処理装置Ａ２に出力する。さらに、後処理装置Ａ２は、用紙Ｐを受け取って、用紙Ｐを折り部５１へ搬送する。ステップＳ３１が、「画像形成ステップ」の一例に相当する。
【００７５】
ステップＳ３３において、折り部５１は、画像の形成された用紙Ｐを折り曲げる。そして、折り曲げられた用紙Ｐは、折り部５１から封入部５２へ搬送される。ステップＳ３３が、「折りステップ」の一例に相当する。
【００７６】
ステップＳ３５において、封入部５２は、宛名の形成された封筒Ｅの口を開いて、折り曲げられた用紙Ｐを封筒Ｅに入れる。そして、処理は図５のステップＳ３７に進む。ステップＳ３５が、「挿入ステップ」の一例に相当する。
【００７７】
図５に示すように、ステップＳ３７において、重量計測部５３が、折り曲げられた用紙Ｐの入った封筒Ｅの重量を計測する。
【００７８】
ステップＳ３９において、第２算出部７２は、封筒Ｅのサイズと、折り曲げられた用紙Ｐの入った封筒Ｅの重量の実測値とに基づいて、郵便料金の実測値ＡＶと、第２合計値ＳＭ２とを算出する。第２合計値ＳＭ２は、第１役務料金Ｆ１と郵便料金の実測値ＡＶとの合計値を示す。なお、表示部ｂ１は、第１役務料金Ｆ１、郵便料金の実測値ＡＶ、及び第２合計値ＳＭ２を表示してもよい。
【００７９】
例えば、第２算出部７２は、料金テーブルＦＴを参照して、封筒Ｅのサイズと、用紙Ｐの入った封筒Ｅの重量の実測値（つまり、郵便物の重量の実測値）とに基づいて郵便料金を特定する。なお、第２算出部７２が特定した郵便料金は、郵便物の重量の実測値に基づく郵便料金である。従って、第２算出部７２が特定した郵便料金は、郵便料金の実測値ＡＶを示す。
【００８０】
ステップＳ４１において、ステップＳ４１よりも前に貨幣受領機５が受領した貨幣の金額が第２合計値ＳＭ２以上か否かを、判定部７４が判定する。「ステップＳ４１よりも前に貨幣受領機５が受領した貨幣の金額」は、ステップＳ１７で受領した貨幣の金額とステップＳ２５で受領した貨幣の金額との合計金額を示す。
【００８１】
貨幣の金額が第２合計値ＳＭ２以上であると判定された場合（ステップＳ４１でＹｅｓ）、処理はステップＳ５１に進む。
【００８２】
一方、貨幣の金額が第２合計値ＳＭ２以上でないと判定された場合（ステップＳ４１でＮｏ）、処理はステップＳ４３に進む。
【００８３】
ステップＳ４３において、第３算出部７３は、第２合計値ＳＭ２と貨幣の金額とに基づいて、料金の不足金額（具体的には第２合計値ＳＭ２に対する不足金額）を算出する。不足金額は、第２合計値ＳＭ２から貨幣の金額を減算した値である。
【００８４】
ステップＳ４５において、表示部ｂ１は、不足金額とメッセージとを表示する。メッセージは、不足金額を支払うことを要求する内容を含む。
【００８５】
ステップＳ４７において、貨幣受領機５は、貨幣を受領して、貨幣の金額を算出する。
【００８６】
ステップＳ４９において、ステップＳ４７で受領された貨幣の金額が不足金額以上か否かを、判定部７４が判定する。
【００８７】
貨幣の金額が不足金額以上でないと判定された場合（ステップＳ４９でＮｏ）、処理はステップＳ４３に進む。つまり、貨幣の金額が不足金額以上でないと判定された場合、封入部５２がステップＳ５１の実行を保留するとともに、証票固着部５４がステップＳ５３の実行を保留する。
【００８８】
一方、貨幣の金額が不足金額以上であると判定された場合（ステップＳ４９でＹｅｓ）、処理はステップＳ５１に進む。
【００８９】
ステップＳ５１において、封入部５２は、折り曲げられた用紙Ｐの入った封筒Ｅを封緘する。そして、封緘された封筒Ｅは、封入部５２から証票固着部５４へ搬送される。ステップＳ５１が、「封緘ステップ」の一例に相当する。
【００９０】
ステップＳ５３において、証票固着部５４は、封緘された封筒Ｅに、証票を固着する。その結果、郵便物が作製される。そして、証票の固着された封筒Ｅは、証票固着部５４から第２排出ローラー５８へ搬送される。ステップＳ５３が、「証票固着ステップ」の一例に相当する。
【００９１】
ステップＳ５５において、第２排出ローラー５８は、封筒Ｅを第２排出トレイ５９に排出する。
【００９２】
次に、図３、図６、及び図７を参照して、宛名非形成モードでの処理を説明する。図６に示すように、図３のステップＳ７１の後、ステップＳ７３において、入力部ｂ２は、封筒Ｅのサイズの入力と、用紙Ｐのサイズの入力と、画像を形成する用紙Ｐの枚数の入力とを受け付ける。
【００９３】
ステップＳ７５において、第１算出部７１は、入力部ｂ２が受け付けた封筒Ｅのサイズ、入力部ｂ２が受け付けた用紙Ｐのサイズ、及び入力部ｂ２が受け付けた用紙Ｐの枚数に基づいて、第２役務料金Ｆ２と、郵便料金の予測値ＰＶと、第３合計値ＳＭ３とを算出する。第２役務料金Ｆ２は、封筒Ｅに宛名を形成することなく、用紙Ｐに画像を形成する役務の料金を示す。第３合計値ＳＭ３は、第２役務料金Ｆ２と予測値ＰＶとの合計値を示す。
【００９４】
例えば、第１算出部７１は、用紙Ｐの枚数に画像形成単価を乗じて、乗算値を算出する。乗算値が第２役務料金Ｆ２を示す。画像形成単価は、１枚の用紙Ｐに画像を形成するときの料金を示す。なお、予測値ＰＶは、図３のステップＳ１３と同様にして算出される。
【００９５】
ステップＳ７７において、表示部ｂ１は、第２役務料金Ｆ２と、郵便料金の予測値ＰＶと、第３合計値ＳＭ３と、メッセージとを表示する。メッセージは、第３合計値ＳＭ３に相当する料金を支払うことを要求する内容を含む。
【００９６】
ステップＳ７９において、貨幣受領機５は、貨幣を受領して、貨幣の金額を算出する。
【００９７】
ステップＳ８１において、貨幣の金額が第３合計値ＳＭ３以上か否かを、判定部７４が判定する。
【００９８】
貨幣の金額が第３合計値ＳＭ３以上であると判定された場合（ステップＳ８１でＹｅｓ）、処理はステップＳ９０に進む。
【００９９】
一方、貨幣の金額が第３合計値ＳＭ３以上でないと判定された場合（ステップＳ８１でＮｏ）、処理はステップＳ８３に進む。
【０１００】
ステップＳ８３において、第３算出部７３は、第３合計値ＳＭ３と貨幣の金額とに基づいて、料金の不足金額（具体的には第３合計値ＳＭ３に対する不足金額）を算出する。不足金額は、第３合計値ＳＭ３から貨幣の金額を減算した値である。
【０１０１】
ステップＳ８５において、表示部ｂ１は、不足金額とメッセージとを表示する。メッセージは、不足金額を支払うことを要求する内容を含む。
【０１０２】
ステップＳ８７において、貨幣受領機５は、貨幣を受領して、貨幣の金額を算出する。
【０１０３】
ステップＳ８９において、ステップＳ８７で受領された貨幣の金額が不足金額以上か否かを、判定部７４が判定する。
【０１０４】
貨幣の金額が不足金額以上でないと判定された場合（ステップＳ８９でＮｏ）、処理はステップＳ８３に進む。
【０１０５】
一方、貨幣の金額が不足金額以上であると判定された場合（ステップＳ８３でＹｅｓ）、処理はステップＳ９０に進む。
【０１０６】
ステップＳ９０において、画像形成装置Ａ１は、封筒Ｅを手差しトレイ１６から取り込んで、封筒Ｅを後処理装置Ａ２に出力する。後処理装置Ａ２は、封筒Ｅを受け取って、封筒Ｅを封入部５２へ搬送する。
【０１０７】
ステップＳ９１において、画像形成部２０は、用紙Ｐに画像を形成する。そして、画像形成装置Ａ１は、画像の形成された用紙Ｐを後処理装置Ａ２に出力する。さらに、後処理装置Ａ２は、用紙Ｐを受け取って、用紙Ｐを折り部５１へ搬送する。
【０１０８】
ステップＳ９３において、折り部５１は、画像の形成された用紙Ｐを折り曲げる。そして、折り曲げられた用紙Ｐは、折り部５１から封入部５２へ搬送される。
【０１０９】
ステップＳ９５において、封入部５２は、宛名の形成された封筒Ｅの口を開いて、折り曲げられた用紙Ｐを封筒Ｅに入れる。そして、処理は図７のステップＳ９７に進む。
【０１１０】
図７に示すように、ステップＳ９７において、重量計測部５３が、折り曲げられた用紙Ｐの入った封筒Ｅの重量を計測する。
【０１１１】
ステップＳ９９において、第２算出部７２は、封筒Ｅのサイズと、折り曲げられた用紙Ｐの入った封筒Ｅの重量の実測値とに基づいて、郵便料金の実測値ＡＶと、第４合計値ＳＭ４とを算出する。第４合計値ＳＭ４は、第２役務料金Ｆ２と郵便料金の実測値ＡＶとの合計値を示す。なお、表示部ｂ１は、第２役務料金Ｆ２、郵便料金の実測値ＡＶ、及び第４合計値ＳＭ４を表示してもよい。
【０１１２】
ステップＳ１０１において、ステップＳ１０１よりも前に貨幣受領機５が受領した貨幣の金額が第４合計値ＳＭ４以上か否かを、判定部７４が判定する。「ステップＳ１０１よりも前に貨幣受領機５が受領した貨幣の金額」は、ステップＳ７９で受領した貨幣の金額とステップＳ８７で受領した貨幣の金額との合計金額を示す。
【０１１３】
貨幣の金額が第４合計値ＳＭ４以上であると判定された場合（ステップＳ１０１でＹｅｓ）、処理はステップＳ１１１に進む。
【０１１４】
一方、貨幣の金額が第４合計値ＳＭ４以上でないと判定された場合（ステップＳ１０１でＮｏ）、処理はステップＳ１０３に進む。
【０１１５】
ステップＳ１０３において、第３算出部７３は、第４合計値ＳＭ４と貨幣の金額とに基づいて、料金の不足金額（具体的には第４合計値ＳＭ４に対する不足金額）を算出する。不足金額は、第４合計値ＳＭ４から貨幣の金額を減算した値である。
【０１１６】
ステップＳ１０５において、表示部ｂ１は、不足金額とメッセージとを表示する。メッセージは、不足金額を支払うことを要求する内容を含む。
【０１１７】
ステップＳ１０７において、貨幣受領機５は、貨幣を受領して、貨幣の金額を算出する。
【０１１８】
ステップＳ１０９において、ステップＳ４７で受領された貨幣の金額が不足金額以上か否かを、判定部７４が判定する。
【０１１９】
貨幣の金額が不足金額以上でないと判定された場合（ステップＳ１０９でＮｏ）、処理はステップＳ１０３に進む。つまり、貨幣の金額が不足金額以上でないと判定された場合、封入部５２がステップＳ１１１の実行を保留するとともに、証票固着部５４がステップＳ１１３の実行を保留する。
【０１２０】
一方、貨幣の金額が不足金額以上であると判定された場合（ステップＳ１０９でＹｅｓ）、処理はステップＳ１１１に進む。
【０１２１】
ステップＳ１１１において、封入部５２は、折り曲げられた用紙Ｐの入った封筒Ｅを封緘する。そして、封緘された封筒Ｅは、封入部５２から証票固着部５４へ搬送される。
【０１２２】
ステップＳ１１３において、証票固着部５４は、封緘された封筒Ｅに、証票を固着する。その結果、郵便物が作製される。そして、証票の固着された封筒Ｅは、証票固着部５４から第２排出ローラー５８へ搬送される。
【０１２３】
ステップＳ１１５において、第２排出ローラー５８は、封筒Ｅを第２排出トレイ５９に排出する。
【０１２４】
次に、図３、図８、及び図９を参照して、用紙不特定モードでの処理を説明する。図８に示すように、図３のステップＳ１３１の後、ステップＳ１３３において、入力部ｂ２は、封筒Ｅのサイズの入力と、画像を形成する用紙Ｐの枚数の入力とを受け付ける。
【０１２５】
ステップＳ１３５において、第１算出部７１は、入力部ｂ２が受け付けた用紙Ｐの枚数に基づいて、第１役務料金Ｆ１を算出する。
【０１２６】
ステップＳ１３７において、表示部ｂ１は、第１役務料金Ｆ１とメッセージとを表示する。メッセージは、第１役務料金Ｆ１を支払うことを要求する内容を含む。
【０１２７】
ステップＳ１３９において、貨幣受領機５は、貨幣を受領して、貨幣の金額を算出する。
【０１２８】
ステップＳ１４１において、貨幣の金額が第１役務料金Ｆ１以上か否かを、判定部７４が判定する。
【０１２９】
貨幣の金額が第１役務料金Ｆ１以上であると判定された場合（ステップＳ１４１でＹｅｓ）、処理はステップＳ１５１に進む。
【０１３０】
一方、貨幣の金額が第１役務料金Ｆ１以上でないと判定された場合（ステップＳ１４１でＮｏ）、処理はステップＳ１４３に進む。
【０１３１】
ステップＳ１４３において、第３算出部７３は、第１役務料金Ｆ１と貨幣の金額とに基づいて、料金の不足金額（具体的には第１役務料金Ｆ１に対する不足金額）を算出する。不足金額は、第１役務料金Ｆ１から貨幣の金額を減算した値である。
【０１３２】
ステップＳ１４５において、表示部ｂ１は、不足金額とメッセージとを表示する。メッセージは、不足金額を支払うことを要求する内容を含む。
【０１３３】
ステップＳ１４７において、貨幣受領機５は、貨幣を受領して、貨幣の金額を算出する。
【０１３４】
ステップＳ１４９において、ステップＳ１４７で受領された貨幣の金額が不足金額以上か否かを、判定部７４が判定する。
【０１３５】
貨幣の金額が不足金額以上でないと判定された場合（ステップＳ１４９でＮｏ）、処理はステップＳ１４３に進む。
【０１３６】
一方、貨幣の金額が不足金額以上であると判定された場合（ステップＳ１４９でＹｅｓ）、処理はステップＳ１５１に進む。
【０１３７】
ステップＳ１５１において、画像形成部２０は、封筒Ｅに宛名を形成する。そして、画像形成装置Ａ１は、宛名の形成された封筒Ｅを後処理装置Ａ２に出力する。さらに、後処理装置Ａ２は、封筒Ｅを受け取って、封筒Ｅを封入部５２へ搬送する。
【０１３８】
ステップＳ１５３において、画像形成部２０は、用紙Ｐに画像を形成する。そして、画像形成装置Ａ１は、画像の形成された封筒Ｅを後処理装置Ａ２に出力する。さらに、後処理装置Ａ２は、用紙Ｐを受け取って、用紙Ｐを折り部５１へ搬送する。
【０１３９】
ステップＳ１５５において、折り部５１は、画像の形成された用紙Ｐを折り曲げる。そして、折り曲げられた用紙Ｐは、折り部５１から封入部５２へ搬送される。
【０１４０】
ステップＳ１５７において、封入部５２は、宛名の形成された封筒Ｅの口を開いて、折り曲げられた用紙Ｐを封筒Ｅに入れる。そして、処理は図９のステップＳ１５９に進む。
【０１４１】
図９に示すように、ステップＳ１５９において、重量計測部５３が、折り曲げられた用紙Ｐの入った封筒Ｅの重量を計測する。
【０１４２】
ステップＳ１６０において、第２算出部７２は、封筒Ｅのサイズと、折り曲げられた用紙Ｐの入った封筒Ｅの重量の実測値とに基づいて、郵便料金の実測値ＡＶを算出する。
【０１４３】
ステップＳ１６１において、表示部ｂ１は、郵便料金の実測値ＡＶとメッセージとを表示する。メッセージは、郵便料金の実測値ＡＶに相当する料金を支払うことを要求する内容を含む。
【０１４４】
ステップＳ１６２において、貨幣受領機５は、貨幣を受領して、貨幣の金額を算出する。
【０１４５】
ステップＳ１６３において、ステップＳ１６２で貨幣受領機５が受領した貨幣の金額が郵便料金の実測値ＡＶ以上か否かを、判定部７４が判定する。
【０１４６】
貨幣の金額が実測値ＡＶ以上であると判定された場合（ステップＳ１６３でＹｅｓ）、処理はステップＳ１７３に進む。
【０１４７】
一方、貨幣の金額が実測値ＡＶ以上でないと判定された場合（ステップＳ１６３でＮｏ）、処理はステップＳ１６５に進む。
【０１４８】
ステップＳ１６５において、第３算出部７３は、実測値ＡＶと貨幣の金額とに基づいて、料金の不足金額（具体的には実測値ＡＶに対する不足金額）を算出する。不足金額は、実測値ＡＶから貨幣の金額を減算した値である。
【０１４９】
ステップＳ１６７において、表示部ｂ１は、不足金額とメッセージとを表示する。メッセージは、不足金額を支払うことを要求する内容を含む。
【０１５０】
ステップＳ１６９において、貨幣受領機５は、貨幣を受領して、貨幣の金額を算出する。
【０１５１】
ステップＳ１７１において、ステップＳ１６９で受領された貨幣の金額が不足金額以上か否かを、判定部７４が判定する。
【０１５２】
貨幣の金額が不足金額以上でないと判定された場合（ステップＳ１７１でＮｏ）、処理はステップＳ１６５に進む。つまり、貨幣の金額が不足金額以上でないと判定された場合、封入部５２がステップＳ１７３の実行を保留するとともに、証票固着部５４がステップＳ１７５の実行を保留する。
【０１５３】
一方、貨幣の金額が不足金額以上であると判定された場合（ステップＳ１７１でＹｅｓ）、処理はステップＳ１７３に進む。
【０１５４】
ステップＳ１７３において、封入部５２は、折り曲げられた用紙Ｐの入った封筒Ｅを封緘する。そして、封緘された封筒Ｅは、封入部５２から証票固着部５４へ搬送される。
【０１５５】
ステップＳ１７５において、証票固着部５４は、封緘された封筒Ｅに、証票を固着する。その結果、郵便物が作製される。そして、証票の固着された封筒Ｅは、証票固着部５４から第２排出ローラー５８へ搬送される。
【０１５６】
ステップＳ１７７において、第２排出ローラー５８は、封筒Ｅを第２排出トレイ５９に排出する。
【０１５７】
以上、図３を参照して説明したように、本実施形態によれば、宛名形成モードでは、表示部ｂ１が第１合計値ＳＭ１（＝第１役務料金Ｆ１＋郵便料金の予測値ＰＶ）を表示する（ステップＳ１５）。従って、ユーザーは、画像形成システム１００による封筒Ｅ及び用紙Ｐの処理前に、郵便物作製サービスに必要な料金の総額（第１合計値ＳＭ１）を把握できるため、総額を一括して貨幣受領機５に投入できる。その結果、第１役務料金Ｆ１と郵便料金とを異なるタイミングで貨幣受領機５に投入する場合と比較して、ユーザーの手間を更に軽減できる。また、宛名非形成モードでも、宛名形成モードと同様に、ユーザーの手間を更に軽減できる（ステップＳ７７）。
【０１５８】
なお、宛名形成モード及び用紙不特定モードでは、郵便物作製サービスは、画像形成システム１００による宛名及び画像の形成から証票の固着までの一連の処理のことを示す。宛名非形成モードでは、郵便物作製サービスは、画像形成システム１００による画像の形成から証票の固着までの一連の処理のことを示す。
【０１５９】
また、本実施形態によれば、用紙Ｐの入った封筒Ｅの重量を計測して、郵便料金の実測値ＡＶを算出する（ステップＳ３９、ステップＳ９９、ステップＳ１６０）。従って、ユーザーが用紙Ｐの入った封筒Ｅの重量を計測する手間を省くことができる。
【０１６０】
さらに、本実施形態によれば、宛名形成モードでは、貨幣受領機５によって受領された貨幣の金額が第２合計値ＳＭ２（＝第１役務料金Ｆ１＋郵便料金の実測値ＡＶ）以上であると判定された後に（ステップＳ４１でＹｅｓ）、封入部５２がステップＳ５１の封緘処理を実行するとともに、証票固着部５４がステップＳ５３の固着処理を実行する。従って、郵便物作製サービスに必要な料金を徴収できないまま、処理が進行することを抑制できる。つまり、郵便料金を回収できない事態の発生を抑制できる。また、宛名非形成モードでも、宛名形成モードと同様に、郵便物作製サービスに必要な料金を徴収できないまま、処理が進行することを抑制できる（ステップＳ１０１でＹｅｓ、ステップＳ１１１、ステップＳ１１３）。
【０１６１】
さらに、本実施形態によれば、宛名形成モードでは、郵便物作製サービスに必要な料金（第２合計値ＳＭ２）以上の金額が貨幣受領機５に投入されている限り（ステップＳ４１でＹｅｓ）、宛名及び画像の形成から証票の固着までの一連の処理が休止期間を挟むことなく円滑に実行される。その結果、郵便物作製サービスの開始から完了までの時間を短縮できる。また、宛名非形成モードでも、宛名形成モードと同様に、郵便物作製サービスの開始から完了までの時間を短縮できる（ステップＳ１０１でＹｅｓ）。
【０１６２】
さらに、本実施形態によれば、宛名形成モードでは、貨幣受領機５が不足金額以上の貨幣を受領した後に（ステップＳ４９でＹｅｓ）、封入部５２がステップＳ５１の封緘処理を実行するとともに、証票固着部５４がステップＳ５３の固着処理を実行する。従って、郵便物作製サービスに必要な料金を徴収できないまま、処理が進行することを抑制できる。つまり、郵便料金を回収できない事態の発生を抑制できる。また、宛名非形成モードでも、宛名形成モードと同様に、郵便物作製サービスに必要な料金を徴収できないまま、処理が進行することを抑制できる（ステップＳ１０９でＹｅｓ）。
【０１６３】
さらに、本実施形態によれば、宛名非形成モードを有しているため、ユーザーの利便性を向上できる（ステップＳ７１）。特に、ユーザーが宛名を記した封筒Ｅを持参する場合に有効である。また、宛名非形成モードでは、宛名形成のための料金を含まない第２役務料金Ｆ２が、ユーザーに提示される（ステップＳ７７）。従って、ユーザーは、過剰な料金を支払うとことなく、適正な料金を支払うことができる。
【０１６４】
さらに、本実施形態によれば、用紙不特定モードでは、ステップＳ１５１の宛名形成処理及びステップＳ１５３の画像形成処理の実行前に、第１役務料金Ｆ１が表示される（ステップＳ１３７）。また、ステップＳ１７３の封緘処理の実行前に、用紙Ｐの入った封筒Ｅの重量が計測されて、郵便料金の実測値ＡＶが表示される（ステップＳ１５９〜ステップＳ１６１）。従って、用紙Ｐのサイズが不明である場合でも（ステップＳ７でＮｏ）、ユーザーに第１役務料金Ｆ１と郵便料金の実測値ＡＶを提示しつつ、宛名及び画像の形成から証票の固着までの処理を実行できる。特に、ユーザーがサイズの不明な用紙Ｐを持参する場合に有効である。
【０１６５】
なお、ステップＳ１〜ステップＳ２７は、ステップＳ２９及びステップＳ３１の実行前に実行される。ステップＳ３３〜ステップＳ４９は、ステップＳ２９及びステップＳ３１の実行後であってステップＳ５１の実行前に実行される。ステップＳ１７〜ステップＳ５５はステップＳ１５の実行後に実行される。
【０１６６】
また、ステップＳ７１〜ステップＳ９０は、ステップＳ９１の実行前に実行される。ステップＳ９３〜ステップＳ１０９は、ステップＳ９１の実行後であってステップＳ１１１の実行前に実行される。ステップＳ７９〜ステップＳ１１５はステップＳ７７の実行後に実行される。
【０１６７】
さらに、ステップＳ１３１〜ステップＳ１４９は、ステップＳ１５１及びステップＳ１５３の実行前に実行される。ステップＳ１５５〜ステップＳ１７１は、ステップＳ１５１及びステップＳ１５３の実行後であってステップＳ１７３の実行前に実行される。
【０１６８】
以上、図面を参照しながら本発明の実施形態について説明した。但し、本発明は、上記の実施形態に限られるものではなく、その要旨を逸脱しない範囲で種々の態様において実施することが可能である（例えば、下記（１）、（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１６９】
（１）図３、図６、及び図８を参照して説明したステップＳ９、ステップＳ１１、ステップＳ７３、及びステップＳ１３３において、入力部ｂ２は、印刷方法を示す情報の入力を受け付けてもよい。印刷方法は、用紙Ｐの両面に画像を形成する両面印刷、又は、用紙Ｐの片面に画像を形成する片面印刷である。第１算出部７１は、印刷方法を反映して、第１役務料金Ｆ１及び第２役務料金Ｆ２を算出する。なお、図３〜図９では、片面印刷を前提として、第１役務料金Ｆ１及び第２役務料金Ｆ２を算出している。
【０１７０】
印刷方法が両面印刷の場合、例えば、第１算出部７１は、用紙Ｐの枚数に「２」を乗じて、乗算値を算出する。そして、乗算値に封筒Ｅの枚数である「１」を加算して、加算値を算出する。さらに、第１算出部７１は、加算値に画像形成単価を乗じて、乗算値を算出する。乗算値が第１役務料金Ｆ１を示す。
【０１７１】
（２）図４のステップＳ２９とステップＳ３１とに関し、いずれが先に実行されてもよい。図８のステップＳ１５１とステップＳ１５３とに関し、いずれが先に実行されてもよい。図５のステップＳ５１は、ステップＳ３５とステップＳ３７との間に実行されてもよい。図７のステップＳ１１１は、ステップＳ９５とステップＳ９７との間に実行されてもよい。図９のステップＳ１７３は、ステップＳ１５７とステップＳ１５９との間に実行されてもよい。
【産業上の利用可能性】
【０１７２】
本発明は、郵便物作製方法および画像形成システムに関するものであり、産業上の利用可能性を有する。
【符号の説明】
【０１７３】
５    貨幣受領機（貨幣受領部）
２０    画像形成部
５１    折り部
５２    封入部
５３    重量計測部
５４    証票固着部
７１    第１算出部
７２    第２算出部
７３    第３算出部
７４    判定部
１００    画像形成システム
Ａ１    画像形成装置
Ａ２    後処理装置
ｂ１    表示部
ｂ２    入力部
【図１】
2019025831.tif 000003
【図２】
2019025831.tif 000004
【図３】
2019025831.tif 000005
【図４】
2019025831.tif 000006
【図５】
2019025831.tif 000007
【図６】
2019025831.tif 000008
【図７】
2019025831.tif 000009
【図８】
2019025831.tif 000010
【図９】
2019025831.tif 000011
【図１０】
2019025831.tif 000012